(57)【要約】【課題】大きな温度変化があってもハウジングに対する光検出器の大きな位置ずれが生じ難い光ピックアップ装置を提供する。【解決手段】ディスクから反射されたレーザ光を受光する光検出器１０と、この光検出器１０が取り付けられるハウジング５とを備えた光ピックアップ装置１において、ハウジング５に、直接、光検出器１０が取り付けられた。前記ハウジング５に、直接、前記光検出器１０が接着された。前記光検出器１０は、レーザ光が当てられる受光部１１と、この受光部１１を守り且つ接着剤２０６，２０７が塗布される保護部材１５とを備え、保護部材１５に対応して、前記ハウジング５に、接着剤２０６，２０７が塗布される固定部６，７が設けられ、保護部材１５と、固定部６，７とに、光検出器１０をハウジング５に固定させる接着剤２０６，２０７が塗布されて、ハウジング５に、直接、光検出器１０が接着された。【選択図】図３
2005332552.tif 000002
【特許請求の範囲】
【請求項１】
ディスクから反射されたレーザ光を受光する光検出器と、
該光検出器が取り付けられるハウジングと
を備えた光ピックアップ装置において、
前記ハウジングに、直接、前記光検出器が取り付けられたことを特徴とする光ピックアップ装置。
【請求項２】
前記ハウジングに、直接、前記光検出器が接着されたことを特徴とする請求項１記載の光ピックアップ装置。
【請求項３】
前記光検出器は、
レーザ光が当てられる受光部と、
該受光部を守り且つ接着剤が塗布される保護部材と
を備え、
該保護部材に対応して、前記ハウジングに、該接着剤が塗布される固定部が設けられ、
該保護部材と、該固定部とに、該光検出器を該ハウジングに固定させる該接着剤が塗布されて、該ハウジングに、直接、該光検出器が接着されたことを特徴とする請求項１又は２記載の光ピックアップ装置。
【請求項４】
前記固定部は、前記ハウジングの周壁から、該ハウジングの外側へ向けて延設された突出部として形成されたことを特徴とする請求項３記載の光ピックアップ装置。
【請求項５】
前記保護部材の側部に前記接着剤が塗布され、
前記固定部の先端部に該接着剤が塗布されたことを特徴とする請求項３又は４記載の光ピックアップ装置。
【請求項６】
前記接着剤は、
前記保護部材の側部と、
前記固定部の先端部との間に盛り付けられた状態で塗布され、
該接着剤が固化することにより、該保護部材と、該固定部とを繋ぐ接合部が形成され、
該接合部により、前記光検出器は、前記ハウジングに固定されたことを特徴とする請求項３〜５の何れか１項に記載の光ピックアップ装置。
【請求項７】
前記保護部材は、略矩形箱状のものとして形成されて、一側部と、該一側部の反対側とされる他側部とを備えるものとされ、
前記固定部は、一対の略板状のものとして形成されて、一方の固定部と、該一方の固定部に対して並設された他方の固定部とを備えるものとされ、
該一方の固定部の先端部に対応して、該保護部材の該一側部の取付位置が定められ、
該保護部材の該一側部と、該一方の固定部の先端部とに、前記接着剤が塗布されて該接着剤が固化することにより、該保護部材の該一側部と、該一方の固定部の該先端部とを繋ぐ一方の接合部が形成され、
該他方の固定部の先端部に対応して、該保護部材の該他側部の取付位置が定められ、
該保護部材の該他側部と、該他方の固定部の先端部とに、該接着剤が塗布されて該接着剤が固化することにより、該保護部材の該他側部と、該他方の固定部の該先端部とを繋ぐ他方の接合部が形成されたことを特徴とする請求項３〜６の何れか１項に記載の光ピックアップ装置。
【請求項８】
前記光検出器は、該光検出器の信号が通されるフレキシブル基板に取り付けられ、
前記ハウジングの前記固定部に対応した逃し部が、該フレキシブル基板に設けられ、
前記接着剤は、該ハウジングの該固定部から該フレキシブル基板の該逃し部を通り該光検出器の前記保護部材まで塗布されたことを特徴とする請求項３〜７の何れか１項に記載の光ピックアップ装置。
【請求項９】
前記ハウジングに対し、前記光検出器が接着されるときに、紫外線が照射されることで硬化する紫外線硬化型接着剤が用いられて、接着が行われたことを特徴とする請求項２〜８の何れか１項に記載の光ピックアップ装置。
【請求項１０】
前記ハウジングは、ノート型コンピュータ用ディスク装置に装備可能とされたことを特徴とする請求項１〜９の何れか１項に記載の光ピックアップ装置。
【発明の詳細な説明】
【技術分野】
【０００１】
本発明は、例えばノート型コンピュータ用の光ディスク装置に装備され、大きな温度変化があってもハウジングに対して光検出器の位置ずれが生じ難い光ピックアップ装置に関するものである。
【背景技術】
【０００２】
図６は、従来の光ピックアップ装置の一形態を示す説明図、図７は、従来の光ピックアップ装置の要部を示す拡大図である。
【０００３】
ＬＤＤ５１０（図６）からＬＤ５２０へ電流が流されて、ＬＤ５２０からレーザ光が出力される。「ＬＤ」は、「Laser Diode 」の略称とされる。また、ＬＤは、レーザ光を出射するものとされていることから、発光素子とも呼ばれている。また、「ＬＤＤ」は、「ＬＤ Driver 」の略称とされ、ＬＤ５２０を駆動させてＬＤ５２０からレーザ光を出させるレーザ駆動回路とされている。「ＬＤＤ」は、レーザドライバ等と呼ばれている。レーザドライバ（ＬＤＤ）５１０からレーザダイオード（ＬＤ）５２０に電流が供給され、ＬＤ５２０から出射されたレーザ光により、ディスク７００に情報の記録が行われたり、ディスク７００に記録された情報の再生が行われたりする。
【０００４】
ＬＤ５２０から出力されたレーザ光は、回折格子５３０、中間レンズ５４０、ハーフミラー５５０、対物レンズ５６０を介して、ディスク７００に照射される。ディスク７００から反射されたレーザ光の一部は、ＰＤＩＣ５７０に当てられる。「ＰＤＩＣ」は、「Photo Diode IC」の略称とされている。ＰＤＩＣ５７０は、光を受けて、その信号を電気信号に変えて、光学式ピックアップ装置５０１のレンズホルダ（図示せず）のサーボ機構（図示せず）を動作させるためのものとされている。ＰＤＩＣは、光が当てられたときにその光を検出するものとされていることから、光検出器とも呼ばれている。サーボ（servo ）とは、制御の対象の状態を測定し、予め定められた基準値と比較して、自動的に修正制御する機構のものを意味する。
【０００５】
また、ＬＤ５２０から出力されるレーザ光の一部は、ＦＭＤ５８０に入る。「ＦＭＤ」は、「Front Monitor Diode 」の略称とされる。フロントモニタダイオード（ＦＭＤ）は、レーザダイオードから出力されるレーザ光をモニタして、レーザダイオードの制御のためにフィードバックをかけるものとされている。
【０００６】
前記ＬＤＤ５１０、前記ＬＤ５２０、前記回折格子５３０、前記中間レンズ５４０、前記ハーフミラー５５０、前記対物レンズ５６０、前記ＰＤＩＣ５７０、前記ＦＭＤ５８０は、図７に示すハウジング５０２に装備される。また、図６に示す前記ＬＤＤ５１０、前記ＬＤ５２０、前記ＰＤＩＣ５７０、前記ＦＭＤ５８０は、ＦＰＣ５０５に通電可能に接続されている。「ＦＰＣ」は、「Flexible Printed Circuit」の略称とされている。フレキシブルプリント回路体（ＦＰＣ）は、複数の回路導体が絶縁シートに印刷されて、例えば銅箔などの金属箔が絶縁シートに並設され、その上に保護層が設けられたものとされている。光学式ピックアップ装置５０１は、上述した各種のものを備えるものとして構成されている。なお、光学式ピックアップ装置５０１は、図示されたもの以外に、他のもの（図示せず）も備えるものとされているが、図６においては、それらの他のものは、便宜上、省略した。
【０００７】
前記光学式ピックアップ装置５０１が用いられて、メディアにおける情報などのデータの再生または記録が行われる。メディアとして、例えば、ＣＤ−ＲＯＭ，ＤＶＤ−ＲＯＭ
などの読出し専用の光ディスクや、ＣＤ−Ｒ，ＤＶＤ±Ｒなどの追記型の光ディスクや、ＣＤ−ＲＷ，ＤＶＤ±ＲＷ，ＤＶＤ−ＲＡＭなどの書込み／消去や書換え可能なタイプの光ディスクなどといった各種光ディスクが挙げられる。
【０００８】
「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、読出し専用のものとされている。また、「ＣＤ−Ｒ」もしくは「ＤＶＤ±Ｒ」の「Ｒ」は、「Recordable」の略称とされ、ＣＤ−ＲもしくはＤＶＤ±Ｒは、書込み可能なものとされている。また、「ＣＤ−ＲＷ」もしくは「ＤＶＤ±ＲＷ」の「ＲＷ」は、「ReWritable」の略称とされ、ＣＤ−ＲＷもしくはＤＶＤ±ＲＷは、書換え可能なものとされている。また、「ＤＶＤ−ＲＡＭ」は、「Digital Versatile Disc Random Access Memory 」の略称とされ、読み書き・消去が可能なものとされている。
【０００９】
光ピックアップ装置５０１は、前記各種の光ディスクに記録されたデータを再生させたり、前記書込み可能もしくは書換え可能な各種光ディスクにデータを記録させたりするものとされている。
【００１０】
ＬＤＤ５１０に電流が供給されることで、ＬＤ５２０からレーザ光が出射される。このとき、ＬＤ５２０から熱が発生する。この熱により、ＬＤ５２０の温度が変化する。ＬＤ５２０からレーザ光が出射されるときに、ＬＤ５２０におけるレーザの発振波長は、温度に依存するため、ＬＤ５２０の温度が大きく変化すると、ＬＤ５２０から出射されるレーザ光の波長が変動する。また、ＬＤＤ５１０からＬＤ５２０へ電流が供給されて、ＬＤ５２０からレーザ光が出射されるときに、ＬＤＤ５１０から熱が発生する。ＬＤＤ５１０およびＬＤ５２０は、光ピックアップ装置５０１における主な熱源とされる。
【００１１】
図７の如く、ＰＤＩＣ５７０は、ＦＰＣ５０５の上に取り付けられている。ＰＤＩＣ５７０と、ＦＰＣ５０５とは、半田付けが行われることで通電可能に接続されている。またＦＰＣ５０５は、アルミニウム板５０３に装着され、アルミニウム板５０３は、接着剤５０４が用いられてハウジング５０２に接着されている。黒く塗りつぶされた部分が、接着剤５０４とされる。このように、ＰＤＩＣ５７０は、ＦＰＣ５０５と、アルミニウム板５０３とを介して、ハウジング５０２に装備されている。
【００１２】
また、前記従来のもの以外に、例えば製作費が安くされ、温度変化や振動などの過酷な状況に耐えて、フォトダイオードなどの電子部品付きプレートの位置決め固定状態を確実に維持させることが可能な光ピックアップと電子部品付きプレートの固定方法というものがある（例えば特許文献１参照）。
【特許文献１】特開２００２−３５２４４５号公報（第３頁、第１図）
【発明の開示】
【発明が解決しようとする課題】
【００１３】
しかしながら、図７に示す上記従来の光ピックアップ装置５０１にあっては、光ピックアップ装置５０１の温度が大きく変化すると、ハウジング５０２に対し、ＰＤＩＣ５７０の取付位置が変動するということが懸念されていた。
【００１４】
ＰＤＩＣ５７０は、ＦＰＣ５０５と、アルミニウム板５０３とを介した状態でハウジング５０２に装備されている。さらに、ＰＤＩＣ５７０およびＦＰＣ５０５を備えるアルミニウム板５０３と、ハウジング５０２との間に接着剤５０４が塗布されることで、ハウジング５０２にＰＤＩＣ５７０が装備されている。このため、光ピックアップ装置５０１の
温度が上昇すると、例えばハウジング５０２や、アルミニウム板５０３や、接着剤５０４や、ＦＰＣ５０５や、ＰＤＩＣ５７０などの各部が膨張したり、ＦＰＣ５０５とＰＤＩＣ５７０とを接続する半田剤が軟化したりすること等により、各部に位置ずれが生じることになる。
【００１５】
各部の位置ずれ量は、僅かなものとされていても、各部の位置ずれ量が累積されると、ハウジング５０２に対するＰＤＩＣ（光検出器）５７０の取付誤差は、大きなものとなる。ハウジング５０２に対し、ＰＤＩＣ（光検出器）５７０の取付誤差が大きくなると、ＰＤＩＣ（光検出器）５７０（図６）に入る光の焦点に変化が生じることとなる。このようなことが起こると、光ピックアップ装置５０１のサーボ機構の動作が不安定になり易く、正確なサーボ機能が発揮されないことが懸念されていた。
【００１６】
本発明は、上記した点に鑑み、大きな温度変化があってもハウジングに対する光検出器の大きな位置ずれが生じ難い光ピックアップ装置を提供することを目的とする。
【課題を解決するための手段】
【００１７】
上記目的を達成するために、本発明の請求項１に係る光ピックアップ装置は、ディスクから反射されたレーザ光を受光する光検出器と、該光検出器が取り付けられるハウジングとを備えた光ピックアップ装置において、前記ハウジングに、直接、前記光検出器が取り付けられたことを特徴とする。
【００１８】
上記構成により、光検出器は、ハウジングに精度よく装備され続ける。光ピックアップ装置が大きな温度変化条件下で使用されても、ハウジングに、直接、光検出器が取り付けられていれば、ハウジングに対する光検出器の取付誤差は、小さくなる。ハウジングに対する光検出器の取付誤差が小さくなることにより、ハウジングに対し、光検出器に大きな位置ずれが生じるということは、回避される。従って、光検出器に入る光の焦点に大きな変化が生じることなく、光ピックアップ装置のサーボ機構は、安定した動作を行うこととなる。これにより、光ピックアップ装置における正確なサーボ機能が発揮される。サーボとは、制御の対象の状態を測定し、予め定められた基準値と比較して、自動的に修正制御する機構のものを意味する。
【００１９】
請求項２に係る光ピックアップ装置は、請求項１記載の光ピックアップ装置において、前記ハウジングに、直接、前記光検出器が接着されたことを特徴とする。
【００２０】
上記構成により、光検出器は、ハウジングに精度よく装着され続ける。光ピックアップ装置が大きな温度変化条件下で使用されることがあっても、ハウジングに、直接、光検出器が接着されていれば、ハウジングに対する光検出器の累積誤差は、小さいものとなる。ハウジングに対する光検出器の累積誤差が小さくなることにより、ハウジングに対し、光検出器に大きな位置ずれが生じるということは、回避される。従って、光検出器に入る光の焦点に大きな変化が生じることなく、光ピックアップ装置のサーボ機構は、安定した動作を行うこととなる。これにより、光ピックアップ装置における正確なサーボ機能が発揮される。
【００２１】
請求項３に係る光ピックアップ装置は、請求項１又は２記載の光ピックアップ装置において、前記光検出器は、レーザ光が当てられる受光部と、該受光部を守り且つ接着剤が塗布される保護部材とを備え、該保護部材に対応して、前記ハウジングに、該接着剤が塗布される固定部が設けられ、該保護部材と、該固定部とに、該光検出器を該ハウジングに固定させる該接着剤が塗布されて、該ハウジングに、直接、該光検出器が接着されたことを特徴とする。
【００２２】
上記構成により、光検出器は、ハウジングに精度よく取り付けられる。光検出器を構成する保護部材と、ハウジングに設けられた固定部とに接着剤が塗布されることで、光検出器は、ハウジングに精度よく装着される。従って、ハウジングに光検出器が精度よく装着されて構成された光ピックアップ装置の提供が可能となる。
【００２３】
請求項４に係る光ピックアップ装置は、請求項３記載の光ピックアップ装置において、前記固定部は、前記ハウジングの周壁から、該ハウジングの外側へ向けて延設された突出部として形成されたことを特徴とする。
【００２４】
上記構成により、光検出器は、容易にハウジングに接着される。光検出器を構成する保護部材と、ハウジングの周壁からハウジングの外側に向けて延設された突出部とに、接着剤が塗布されることで、光検出器は、容易にハウジングに装着される。従って、ハウジングに光検出器が精度よく容易に装着されて構成された光ピックアップ装置の提供が可能となる。
【００２５】
請求項５に係る光ピックアップ装置は、請求項３又は４記載の光ピックアップ装置において、前記保護部材の側部に前記接着剤が塗布され、前記固定部の先端部に該接着剤が塗布されたことを特徴とする。
【００２６】
上記構成により、光検出器は、ハウジングに精度よく接着される。光検出器を構成する保護部材の側部に接着剤が塗布され、ハウジングの固定部の先端部に接着剤が塗布されるので、ハウジングの固定部に対する光検出器の保護部材の接着作業は、容易に行われる。ハウジングに対する光検出器の接着作業が容易に行われることにより、接着作業が難しいことに起因した接着不良の発生は、低減化される。接着作業が容易化されることにより、光検出器を構成する保護部材の側部と、ハウジングの固定部の先端部とは、正確に接着される。
【００２７】
請求項６に係る光ピックアップ装置は、請求項３〜５の何れか１項に記載の光ピックアップ装置において、前記接着剤は、前記保護部材の側部と、前記固定部の先端部との間に盛り付けられた状態で塗布され、該接着剤が固化することにより、該保護部材と、該固定部とを繋ぐ接合部が形成され、該接合部により、前記光検出器は、前記ハウジングに固定されたことを特徴とする。
【００２８】
上記構成により、光検出器は、ハウジングに確実に固定される。光検出器の保護部材の側部と、ハウジングの固定部の先端部との間に、接着剤が盛り付けられた状態で塗布されるので、光検出器の保護部材の側部と、ハウジングの固定部の先端部とは、盛り付けられた接着剤により架け渡される。また、この接着剤が固化することにより、光検出器の保護部材と、ハウジングの固定部とを確実に繋ぐ接合部が形成される。光検出器の保護部材の側部と、ハウジングの固定部の先端部との間に盛り付けられた接着剤が固化し、この接着剤が固化して形成された接合部により、光検出器は、ハウジングに確実に固定される。
【００２９】
請求項７に係る光ピックアップ装置は、請求項３〜６の何れか１項に記載の光ピックアップ装置において、前記保護部材は、略矩形箱状のものとして形成されて、一側部と、該一側部の反対側とされる他側部とを備えるものとされ、前記固定部は、一対の略板状のものとして形成されて、一方の固定部と、該一方の固定部に対して並設された他方の固定部とを備えるものとされ、該一方の固定部の先端部に対応して、該保護部材の該一側部の取付位置が定められ、該保護部材の該一側部と、該一方の固定部の先端部とに、前記接着剤が塗布されて該接着剤が固化することにより、該保護部材の該一側部と、該一方の固定部の該先端部とを繋ぐ一方の接合部が形成され、該他方の固定部の先端部に対応して、該保護部材の該他側部の取付位置が定められ、該保護部材の該他側部と、該他方の固定部の先
端部とに、該接着剤が塗布されて該接着剤が固化することにより、該保護部材の該他側部と、該他方の固定部の該先端部とを繋ぐ他方の接合部が形成されたことを特徴とする。
【００３０】
上記構成により、略矩形箱状の保護部材を備える光検出器は、一対の固定部を備えるハウジングに、精度よく位置決めされた状態で接着固定される。略板状に形成された一対の固定部に対し、略矩形箱状に形成された保護部材の両側部は、精度よく取付位置が定められた状態で、接着剤により固定される。従って、ハウジングに光検出器が精度よく接着固定されて構成された光ピックアップ装置の提供が可能となる。
【００３１】
請求項８に係る光ピックアップ装置は、請求項３〜７の何れか１項に記載の光ピックアップ装置において、前記光検出器は、該光検出器の信号が通されるフレキシブル基板に取り付けられ、前記ハウジングの前記固定部に対応した逃し部が、該フレキシブル基板に設けられ、前記接着剤は、該ハウジングの該固定部から該フレキシブル基板の該逃し部を通り該光検出器の前記保護部材まで塗布されたことを特徴とする。
【００３２】
上記構成により、フレキシブル基板に取り付けられた光検出器がハウジングに固定されるときに、フレキシブル基板に邪魔されることなく、光検出器は、ハウジングに固定される。ハウジングの固定部に対応した逃し部がフレキシブル基板に設けられていない場合、フレキシブル基板に阻害されて、ハウジングの固定部と、光検出器を構成する保護部材との間に、接着剤が塗布され難いことが懸念される。しかしながら、ハウジングの固定部に対応した逃し部がフレキシブル基板に設けられていれば、接着剤は、ハウジングの固定部からフレキシブル基板の逃し部を通り光検出器を構成する保護部材まで、容易で迅速に塗布される。従って、ハウジングに光検出器を固定させるための接着剤の塗布工程は、効率よく迅速に行われる。
【００３３】
請求項９に係る光ピックアップ装置は、請求項２〜８の何れか１項に記載の光ピックアップ装置において、前記ハウジングに対し、前記光検出器が接着されるときに、紫外線が照射されることで硬化する紫外線硬化型接着剤が用いられて、接着が行われたことを特徴とする。
【００３４】
上記構成により、光検出器は、容易で迅速にハウジングに固定される。紫外線硬化型接着剤に紫外線が照射されることで、紫外線硬化型接着剤の硬化反応が促進され、ハウジングに対し、光検出器は、速やかに接着される。また、接着剤として紫外線硬化型接着剤が用いられているから、ハウジングに対し、光検出器は、精度よく固定される。従って、ハウジングに光検出器が精度よく固定されて構成された光ピックアップ装置の提供が可能となる。
【００３５】
請求項１０に係る光ピックアップ装置は、請求項１〜９の何れか１項に記載の光ピックアップ装置において、前記ハウジングは、ノート型コンピュータ用ディスク装置に装備可能とされたことを特徴とする。
【００３６】
上記構成により、ノート型コンピュータ用ディスク装置に装備された光ピックアップ装置のサーボ動作が安定せず、光ピックアップ装置が正常に機能しないということは、回避される。最近のノート型コンピュータは、高性能化されると共に、小型化、軽量化、軽薄化される傾向にある。ノート型コンピュータの小型化、軽量化、軽薄化に伴って、光ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディス
ク装置に装備された光ピックアップ装置は、高温に曝され易くなり、熱の影響を受け易くなる。しかしながら、光ピックアップ装置を構成するハウジングに、直接、光検出器が取り付けられていれば、光ピックアップ装置が大きな温度変化条件下で使用されても、ハウジングに対する光検出器の取付誤差は小さくなる。従って、ハウジングに対し、光検出器に大きな位置ずれが生じるということは、回避される。これにより、光検出器に入る光の焦点に大きな変化が生じるということは回避され、ノート型コンピュータ用ディスク装置に装備された光ピックアップ装置のサーボ機構は、安定した状態で作動する。
【発明の効果】
【００３７】
以上の如く、請求項１記載の発明によれば、ハウジングに精度よく光検出器を装備させ続けることができる。光ピックアップ装置が大きな温度変化条件下で使用されても、ハウジングに、直接、光検出器が取り付けられていれば、ハウジングに対する光検出器の取付誤差を小さくすることができる。ハウジングに対する光検出器の取付誤差を小さくしたことにより、ハウジングに対し、光検出器に大きな位置ずれが生じるということは、回避される。従って、光検出器に入る光の焦点に大きな変化が生じることなく、光ピックアップ装置のサーボ機構は、安定した動作を行うこととなる。これにより、光ピックアップ装置に正確なサーボ機能を発揮させることができる。
【００３８】
請求項２記載の発明によれば、ハウジングに精度よく光検出器を装着させ続けることができる。光ピックアップ装置が大きな温度変化条件下で使用されることがあっても、ハウジングに、直接、光検出器が接着されていれば、ハウジングに対する光検出器の累積誤差を小さくすることができる。ハウジングに対する光検出器の累積誤差を小さくしたことにより、ハウジングに対し、光検出器に大きな位置ずれが生じるということは、回避される。従って、光検出器に入る光の焦点に大きな変化が生じることなく、光ピックアップ装置のサーボ機構は、安定した動作を行うこととなる。これにより、光ピックアップ装置に正確なサーボ機能を発揮させることができる。
【００３９】
請求項３記載の発明によれば、精度よく光検出器をハウジングに取り付けることができる。光検出器を構成する保護部材と、ハウジングに設けられた固定部とに接着剤を塗布させることで、ハウジングに精度よく光検出器を装着させることができる。従って、ハウジングに光検出器が精度よく装着されて構成された光ピックアップ装置を提供することができる。
【００４０】
請求項４記載の発明によれば、容易に光検出器をハウジングに接着させることができる。光検出器を構成する保護部材と、ハウジングの周壁からハウジングの外側に向けて延設された突出部とに、接着剤を塗布させるから、容易に光検出器をハウジングに装着させることができる。従って、ハウジングに光検出器が精度よく容易に装着されて構成された光ピックアップ装置を提供することができる。
【００４１】
請求項５記載の発明によれば、ハウジングに精度よく光検出器を接着させることができる。光検出器を構成する保護部材の側部に接着剤が塗布され、ハウジングの固定部の先端部に接着剤が塗布されるので、ハウジングの固定部に対する光検出器の保護部材の接着作業は、容易に行われる。ハウジングに対する光検出器の接着作業が容易に行われることにより、接着作業が難しいことに起因した接着不良の発生を低減化させることができる。接着作業を容易化させたことにより、光検出器を構成する保護部材の側部と、ハウジングの固定部の先端部とを、正確に接着させることができる。
【００４２】
請求項６記載の発明によれば、ハウジングに光検出器を確実に固定させることができる。光検出器の保護部材の側部と、ハウジングの固定部の先端部との間に、接着剤が盛り付けられた状態で塗布されるので、光検出器の保護部材の側部と、ハウジングの固定部の先
端部とは、盛り付けられた接着剤により架け渡される。また、この接着剤が固化することにより、光検出器の保護部材と、ハウジングの固定部とを確実に繋ぐ接合部が形成される。光検出器の保護部材の側部と、ハウジングの固定部の先端部との間に盛り付けられた接着剤が固化し、この接着剤が固化して形成された接合部により、ハウジングに光検出器を確実に固定させることができる。
【００４３】
請求項７記載の発明によれば、略矩形箱状の保護部材を備える光検出器は、一対の固定部を備えるハウジングに、精度よく位置決めされた状態で接着固定される。略板状に形成された一対の固定部に対し、略矩形箱状に形成された保護部材の両側部は、精度よく取付位置が定められた状態で、接着剤により固定される。従って、ハウジングに光検出器が精度よく接着固定されて構成された光ピックアップ装置を提供することができる。
【００４４】
請求項８記載の発明によれば、フレキシブル基板に取り付けられた光検出器をハウジングに固定するときに、フレキシブル基板に邪魔されることなく、光検出器をハウジングに固定することができる。ハウジングの固定部に対応した逃し部がフレキシブル基板に設けられていない場合、フレキシブル基板に阻害されて、ハウジングの固定部と、光検出器を構成する保護部材との間に、接着剤が塗布され難いことが懸念されていた。しかしながら、ハウジングの固定部に対応した逃し部がフレキシブル基板に設けられていれば、ハウジングの固定部からフレキシブル基板の逃し部を通り光検出器を構成する保護部材まで、容易で迅速に接着剤を塗布させることができる。従って、ハウジングに光検出器を固定するための接着剤の塗布工程を、効率よく迅速に行うことができる。
【００４５】
請求項９記載の発明によれば、容易で迅速に光検出器をハウジングに固定することができる。紫外線硬化型接着剤に紫外線を照射させることで、紫外線硬化型接着剤の硬化反応を促進させ、速やかに光検出器をハウジングに接着させることができる。また、接着剤として紫外線硬化型接着剤が用いられているから、ハウジングに対し、精度よく光検出器を固定することができる。従って、ハウジングに光検出器が精度よく固定されて構成された光ピックアップ装置を提供することができる。
【００４６】
請求項１０記載の発明によれば、ノート型コンピュータ用ディスク装置に装備された光ピックアップ装置のサーボ動作が安定せず、光ピックアップ装置が正常に機能しないということは、回避される。最近のノート型コンピュータは、高性能化されると共に、小型化、軽量化、軽薄化される傾向にある。ノート型コンピュータの小型化、軽量化、軽薄化に伴って、光ピックアップ装置も、小型化、軽量化、軽薄化されつつある。また、ノート型コンピュータが高性能化されると、ノート型コンピュータから多くの熱が発生することとなる。デスクトップ型コンピュータに対し、ノート型コンピュータは小さいものとされ、また、ノート型コンピュータが高性能化されることにより、ノート型コンピュータの内部は、デスクトップ型コンピュータの内部よりも高温となり易い。従って、ノート型コンピュータ用ディスク装置に装備された光ピックアップ装置は、高温に曝され易くなり、熱の影響を受け易くなる。しかしながら、光ピックアップ装置を構成するハウジングに、直接、光検出器が取り付けられていれば、光ピックアップ装置が大きな温度変化条件下で使用されても、ハウジングに対する光検出器の取付誤差は小さくなる。従って、ハウジングに対し、光検出器に大きな位置ずれが生じるということは、回避される。これにより、光検出器に入る光の焦点に大きな変化が生じるということを回避でき、ノート型コンピュータ用ディスク装置に装備された光ピックアップ装置のサーボ機構を、安定した状態で作動させることができる。
【発明を実施するための最良の形態】
【００４７】
以下に本発明に係る光ピックアップ装置の一実施形態を図面に基づいて詳細に説明する。
【００４８】
図１は、本発明に係る光ピックアップ装置の一実施形態を示す分解斜視図、図２は、光ピックアップ装置が組み立てられる状態を示す斜視図、図３は、接着剤が用いられて光ピックアップ装置が組み立てられる状態を示す斜視図、図４は、光ピックアップ装置が組み立てられた状態を示す斜視図、図５は、光ピックアップ装置の要部を示す拡大図である。
【００４９】
図１〜図４は、光ピックアップ装置を上面側から眺めた斜視図である。また、図５は、光ピックアップ装置を下面側から眺めた拡大図である。なお、この明細書における「上」、「下」の定義は、光ピックアップ装置を説明するための便宜上のものとされる。
【００５０】
光ピックアップ（optical pickup）は、「ＯＰＵ」と略称されている。光ピックアップ装置を備える光ディスク装置（図示せず）が用いられて、光ディスクに記録された情報などのデータが再生される。また、光ディスク装置が用いられて、光ディスクに情報などのデータの記録が行われる。光ディスクとして、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ  ＤＶＤ」，「Blu-ray Disc」などの書込み／消去や書換え可能なタイプの光ディスクなどが挙げられる。
【００５１】
上述した如く、「ＣＤ」は、「Compact Disc」の略称とされる。また、「ＤＶＤ」は、「Digital Versatile Disc」もしくは「Digital Video Disc」の略称とされる。また、「ＣＤ−ＲＯＭ」もしくは「ＤＶＤ−ＲＯＭ」の「ＲＯＭ」は、「Read Only Memory」の略称とされ、ＣＤ−ＲＯＭもしくはＤＶＤ−ＲＯＭは、データ読出し専用のものとされている。また、「ＣＤ−Ｒ」または「ＤＶＤ−Ｒ」もしくは「ＤＶＤ＋Ｒ」の「Ｒ」は、「Recordable」の略称とされ、ＣＤ−ＲまたはＤＶＤ−ＲもしくはＤＶＤ＋Ｒは、データの書込みが可能なものとされている。また、「ＣＤ−ＲＷ」または「ＤＶＤ−ＲＷ」もしくは「ＤＶＤ＋ＲＷ」の「ＲＷ」は、「ReWritable」の略称とされ、ＣＤ−ＲＷまたはＤＶＤ−ＲＷもしくはＤＶＤ＋ＲＷは、データの書換えが可能なものとされている。また、「ＤＶＤ−ＲＡＭ」は、「Digital Versatile Disc Random Access Memory 」の略称とされ、データの読み書き・消去が可能なものとされている。
【００５２】
また、「ＨＤ  ＤＶＤ」は、「High Definition DVD 」の略称とされる。「ＨＤ  ＤＶＤ」は、従来のＤＶＤ系列のものと互換性をもたせ、且つ、従来のＤＶＤ系列の光ディスクよりも記憶容量の大きいものとされる。従来のＣＤやＤＶＤには、赤色のレーザが用いられていたが、「ＨＤ  ＤＶＤ」の光ディスクに記録されたデータが読み出されるときには、青紫色のレーザが用いられる。また、「Blu-ray 」とは、従来のＣＤやＤＶＤで信号の読み書きに用いられていた赤色のレーザに対し、高密度記録が実現されるために採用された青紫色のレーザを意味するものとされている。
【００５３】
不図示のレーザドライバからレーザダイオード２０（図１〜図４）へ電流が流されて、レーザダイオード２０からレーザ光が出力される。不図示のレーザドライバは、レーザダイオード２０を駆動させて、レーザダイオード２０からレーザ光を出させるレーザ駆動回路とされている。また、上述した如く、レーザドライバは、「ＬＤ Driver 」と呼ばれ、「ＬＤＤ」と略称されている。
【００５４】
ＣＤを再生させるために、レーザダイオード２０から約７７０〜８０５ｎｍ（ナノメータ）の波長のレーザ光が出力される。また、ＤＶＤを再生させるために、レーザダイオード２０から約６３０〜６７０ｎｍの波長のレーザ光が出力される。このように、レーザダイオード２０は、異なる波長のレーザ光を出射可能な２波長レーザダイオード２０として構成されている。上述した如く、レーザダイオード（Laser Diode ）は、「ＬＤ」と略称
されている。ＬＤ２０として２波長ＬＤ２０が用いられることにより、例えばＬＤの部品点数が削減化され、光ピックアップ装置１の小型軽量化が図られる。
【００５５】
前記２波長ＬＤ２０は、放熱性に優れる金属製のレーザホルダ２５内に収容されている。レーザホルダ２５内にＬＤ２０が収められていることから、レーザホルダ２５は、ＬＤホルダ２５などと呼ばれている。
【００５６】
ＬＤホルダ２５は、耐食性や、価格の点で優れる亜鉛を含有した合金が用いられて形成されている。亜鉛や、アルミニウムなどの非鉄金属や、亜鉛や、アルミニウムを含有する合金が用いられて、ＬＤホルダが形成されていれば、ＬＤホルダから錆などが生じることなく、ＬＤホルダの放熱も良好に行われる。亜鉛や、アルミニウムは、耐食性に優れたものとされ、鉄よりも比重の小さい非鉄金属とされている。
【００５７】
また、ＬＤホルダ２５の本体２５Ｈに、ＬＤホルダ２５の熱を発散させる複数の薄肉状放熱フィン２８が設けられている。このような放熱フィン２８がＬＤホルダ２５の本体２５Ｈに設けられていれば、ＬＤ２０から発せられる熱によりＬＤホルダ２５が蓄熱されるということは、回避される。従って、ＬＤホルダ２５内に収められたＬＤ２０から出射されるレーザ光の波長が大きく変化するということは、回避される。これらの放熱フィン２８は、ＬＤホルダ２５の本体２５Ｈから突出されることなく、ホルダ本体２５Ｈに彫り込まれるようにして設けられている。
【００５８】
また、放熱性に優れるＬＤホルダ２５が用いられることにより、光ピックアップ装置１に熱がたまり、光ピックアップ装置１が異常に高温化されるということは、回避される。従って、光ピックアップ装置１が高温化され、激しい温度変化条件下で光ピックアップ装置１が使用されるということは、回避され易くなる。
【００５９】
不図示のレーザドライバからＬＤ２０に電流が供給され、ＬＤ２０から出射されたレーザ光により、不図示の光ディスクに情報の記録が行われたり、不図示の光ディスクに記録された情報の再生が行われたりする。
【００６０】
ＬＤ２０から出力されたレーザ光は、不図示の回折格子、不図示のプリズム、中間レンズ４０（図２）、リフレクトミラー５０（図２）、対物レンズ６０（図２〜図４）を介して、不図示の光ディスクに照射される。
【００６１】
不図示の回折格子は、光の回折を利用して、ＬＤ２０から出されたレーザ光を一つのメインビームと、二つのサブビームとに分ける役割を果すものとされている。また、不図示のプリズムは、ＤＶＤ用のレーザ光が透過されるときに、非点が出されないものとさせる役目を果す。また、中間レンズ４０は、レーザ光を集める役割を果すものとされている。また、リフレクトミラー５０は、大部分のレーザ光を反射させ、一部のレーザ光を透過させるものとされている。リフレクトミラー（Reflect Mirror）は、「ＲＭ」と略称される。リフレクトミラー５０に代えて、例えばハーフミラーが用いられたものも使用可能とされる。対物レンズ６０は、ＬＤ２０から出されたレーザ光を、ＣＤやＤＶＤなどの光ディスク上に集光させる役割を果すものとされている。対物レンズは、「Objective Lens」と呼ばれ、「ＯＢＬ」と略称される。合成樹脂製の対物レンズ６０（図２〜図４）は、合成樹脂製のレンズホルダ６５に装着されている。
【００６２】
不図示の光ディスクから反射されたレーザ光の一部は、ハウジング本体５Ｈの内側に取り付けられたハーフミラー５５（図１，図２）を通り、ハーフミラー５５の先に設けられた略矩形状の開口部５Ｄ（図１）を通り抜けて、ハウジング本体５Ｈの外側に設けられた光検出器１０（図３〜図５）に当てられる。光検出器１０は、不図示の光ディスクから反
射されたレーザ光の一部の光軸延長線上に位置するものとされている。光検出器１０は、レーザ光を受けて、その信号を電気信号に変え、アクチュエータ３０（図２〜図４）のサーボ機構により、ＯＢＬ６０を備えたレンズホルダ６５を適正な位置に動作させるためのものとされている。上述した如く、サーボ（servo ）とは、制御の対象の状態を測定し、予め定められた基準値と比較して、自動的に修正制御する機構のものを意味する。
【００６３】
光検出器１０（図１〜図５）は、レーザ光が当てられる受光部１１と、受光部１１を外部のもの等から守る略透明をした略矩形箱状の保護部材１５とを備えるものとして構成されている。略矩形箱状をした保護部材１５の一側面部１６に対し、これの反対側の部分が保護部材１５の他側面部１７とされる（図１〜図４）。上述した如く、光検出器は、「Photo Diode IC」と呼ばれ、「ＰＤＩＣ」と略称されている。ハーフミラー５５（図１，図２）は、一部のレーザ光を透過させ、一部のレーザ光を反射させるものとされている。ハーフミラー（Half Mirror ）は、「ＨＭ」と略称される。
【００６４】
アクチェータとは、あるものを移動させたり調整させたりするものを意味する。アクチュエータ３０（図２，図３）は、レンズホルダ６５の内側に巻かれた略矩形円筒状のコイル３２と、略矩形円筒状のコイル３２の近傍に位置する磁石３４とを備えるものとして構成されている。また、電流が流されるコイル３２を備えたレンズホルダ６５は、アクチュエータ３０を構成するものとされる。アクチュエータ３０により、ＯＢＬ６０を備えたレンズホルダ６５のフォーカス制御や、トラッキング制御が行われる。
【００６５】
また、例えば図１〜図４に示す光ピックアップ装置１に、ＬＤ２０から出力されるレーザ光をモニタして、ＬＤ２０の制御のためにフィードバックをかけさせるフロントモニタダイオード（図示せず）が装備されたものも使用可能とされる。
【００６６】
不図示の前記ＬＤＤと、前記ＬＤ２０と、前記アクチュエータ３０と、前記ＰＤＩＣ１０と、コンデンサ９１，９２とは、フレキシブル基板１００に通電可能に接続される。また、ＰＤＩＣ１０、ＬＤ２０、コンデンサ９１，９２などの各種電気／電子部品は、フレキシブル基板１００に装着される（図２〜図４）。
【００６７】
図１の如く、フレキシブル基板１００は、フレキシブル基板１００の本体を構成するメイン回路部１０１と、メイン回路部１０１から枝分れ形成されたサブ回路部１１０，１２０，１３０とを少なくとも備えるものとして形成されている。フレキシブル基板１００は、可撓性に優れる薄肉状の回路基板として形成されている。
【００６８】
フレキシブル基板１００の各部について詳しく説明すると、フレキシブル基板１００は、フレキシブル基板１００の本体を構成するメイン回路部１０１と、メイン回路部１０１に設けられ相手側の回路基板（図示せず）に接続されるコネクタ部１０５と、メイン回路部１０１から延設されＰＤＩＣ１０と通電可能に接続される第一サブ回路部１１０と、メイン回路部１０１と第一サブ回路部１１０とを繋ぐ連成部１１１と、メイン回路部１０１から延設され２波長ＬＤ２０と通電可能に接続される第二サブ回路部１２０と、メイン回路部１０１から延設されレンズホルダ６５を駆動させるアクチュエータ３０と通電可能に接続される第三サブ回路部１３０とを少なくとも備えるものとして形成されている。
【００６９】
フレキシブル基板１００として、フレキシブルプリント回路体が用いられた。上述した如く、フレキシブルプリント回路体（Flexible Printed Circuit）は、「ＦＰＣ」と略称されている。ＦＰＣは、複数の回路導体（図示せず）が絶縁シートに印刷されて、例えば銅箔などの金属箔（図示せず）が絶縁シートに並設され、その上に保護層（図示せず）が設けられたものとされている。図１〜図４に示すＦＰＣ１００の回路導体は、省略されている。ＦＰＣ１００は、便宜上、簡略化されたものとして示されている。
【００７０】
半田付けが行われることで、フレキシブル基板１００に、ＰＤＩＣ１０などの各種電気／電子部品が通電可能に接続されるために、ＦＰＣ１００の基部は、耐熱性に優れるポリイミド系樹脂などの耐熱性合成重合体が用いられて形成されている。ポリイミド（polyimide）は、「ＰＩ」と略称される。ポリイミド樹脂が用いられて基部が形成されたＦＰＣとして、例えば、日東電工社製：ニトフレックス（登録商標）や、東レ・デュポン社製カプトン（登録商標）などが挙げられる。
【００７１】
日東電工社製ニトフレックス（登録商標）の商品として、例えば、高精細ＦＰＣ（両面）、高精細ＦＰＣ、微細接続ＦＰＣ、高絶縁信頼性ＦＰＣ、高耐熱性ＦＰＣ、高屈曲ＦＰＣなどが挙げられる。また、東レ・デュポン社製カプトン（登録商標）の商品として、例えば、Ｈタイプ、Ｖタイプ、ＳｕｐｅｒＶタイプ、ＥＮタイプ、ＫＪタイプなどが挙げられる。東レ・デュポン社製カプトン（登録商標）は、約−２６９℃の極低温から約＋４００℃の高温までの広い温度範囲に使用可能なものとされている。
【００７２】
また、半田材として、環境に配慮された鉛を含有しない半田いわゆる鉛フリー半田が用いられた。半田材として、鉛フリー半田が用いられていれば、例えば光ピックアップ装置１もしくは光ピックアップ装置１に装備されたフレキシブル基板１００が廃棄されるときに、鉛により自然環境に影響が及ぶということは、回避される。鉛フリー半田として、例えば千住金属工業社製：エコソルダＭ３０などが挙げられる。また、リフロータイプの鉛フリー半田として、例えば千住金属工業社製：エコソルダＬ２１などが挙げられる。なお、前記鉛フリー半田に代えて、通常の半田材が用いられたものも使用可能とされる。通常の半田材として、例えば千住金属工業社製：スパークルペーストＯＺシリーズ等が挙げられる。
【００７３】
半田付け方法として、例えば要部にクリーム状のリフロー半田材を塗布し、半田付け対象物をリフロー半田槽内に収容し、例えば約２４０〜２５０℃の温度でリフロー半田を溶かし、その後、徐々に冷却させることで、対象物の半田付け工程を行うといった方法などが挙げられる。ＦＰＣ１００は、半田付け工程が行われるときの約２４０〜２５０℃の温度に耐えることのできるポリイミドが基部に用いられて形成されているので、例えば熱によりＦＰＣ１００に変形が生じるということは、回避される。
【００７４】
ポリイミドとして、例えば約２５０〜４００℃の熱に曝されても熱変形などの不具合が生じない耐熱性ポリイミドが用いられた。耐熱温度が約２５０℃よりも低いものとされた場合、そのものは、前記半田付け工程が行われるときの熱に耐えることができない。約４００℃よりも高い耐熱性をもつものは、高価なものとされ、そのようなものは、大量生産性に優れたものとされない。例えば約３００℃の熱に曝されても熱変形などの不具合が生じない耐熱性ポリイミドが用いられて形成されたものは、前記半田付け工程に十分耐えうる。
【００７５】
ＬＤ２０が収容されたＬＤホルダ２５と、不図示の回折格子と、不図示のプリズムと、中間レンズ４０と、ＲＭ５０と、ＨＭ５５と、ＰＤＩＣ１０と、ＦＰＣ１００とは、ハウジング５に装備される。また、対物レンズ６０を適正な位置に動作させるアクチュエータ３０は、ハウジング５に構成される。光ピックアップ装置１は、上述した各種のものを備えるものとして構成されている。
【００７６】
ハウジング５（図２，図３）は、不図示の回折格子と、不図示のプリズムと、中間レンズ４０と、ＲＭ５０と、ＨＭ５５（図１，図２）と、ＯＢＬ６０（図２，図３）を備えたレンズホルダ６５と、アクチュエータ３０を構成するもの等とが収容されるハウジング本体５Ｈを備えるものとされている。
【００７７】
また、ハウジング５は、上記各部品が装備されるハウジング本体５Ｈと、ハウジング本体５Ｈから突設されＰＤＩＣ１０が接着される固定部６，７と、ハウジング本体５Ｈから突設され第一ガイド軸（図示せず）と合わせられる第一ガイド部５Ｉと、第一ガイド部５Ｉに対し反対側に向けてハウジング本体５Ｈから突設され第二ガイド軸（図示せず）と合わせられる第二ガイド部５II，５IIとを備えるものとして形成されている。
【００７８】
前記第一ガイド部５Ｉと、前記第二ガイド部５II，５IIと、前記固定部６，７とは、射出成形が行われて前記ハウジング本体５Ｈと一体成形されている。前記固定部６，７と、前記第一ガイド部５Ｉと、前記第二ガイド部５II，５IIと、前記ハウジング本体５Ｈとは、同一の材料が用いられて射出成形により一つのものとして形成されている。
【００７９】
このようにハウジング５は、合成樹脂などの合成重合体が基材として用いられ、射出成形法に基づいて形成されている。射出成形法に基づいてハウジング５が形成されることにより、図１〜図５に示す複雑な形状のハウジング５とされていても、効率よく大量にハウジング５が生産される。また、合成樹脂などの合成重合体が用いられてハウジング５が形成されることにより、金属製ハウジングよりも軽量化されたハウジング５が形成されることとなる。従って、光ピックアップ装置１の軽量化が図られる。また、これにより、光ピックアップ装置１が内蔵された光ディスク装置（図示せず）の軽量化を図ることができる。
【００８０】
光ピックアップ装置の設計仕様などにより、合成樹脂などの合成重合体に代えて、例えば、亜鉛や、アルミニウムなどの非鉄金属や、亜鉛や、アルミニウムを含有する合金が用いられて、ハウジングが形成されたものも使用可能とされる。亜鉛や、アルミニウムは、耐食性に優れたものとされ、鉄よりも比重の小さい非鉄金属とされている。
【００８１】
図１〜図５の如く、光ピックアップ装置１は、ＣＤもしくはＤＶＤなどの光ディスクから反射されたレーザ光を受光するＰＤＩＣ１０と、ＰＤＩＣ１０が取り付けられるハウジング５とを少なくとも備えるものとして構成されている。図３〜図５の如く、ハウジング５に、直接、ＰＤＩＣ１０が取り付けられている。詳しく説明すると、ハウジング５に、直接、ＰＤＩＣ１０が接着されている。
【００８２】
ハウジング５に、直接、ＰＤＩＣ１０が取り付けられていれば、ＰＤＩＣ１０は、ハウジング５に精度よく装備され続ける。ハウジング５に、直接、ＰＤＩＣ１０が接着されていれば、ＰＤＩＣ１０は、ハウジング５に精度よく装着され続けることとなる。光ピックアップ装置１は、例えば約０℃〜７０℃の温度条件下で使用されることが考えられる。
【００８３】
しかしながら、このような大きな温度変化条件下で光ピックアップ装置１が使用されることがあっても、ハウジング５に、直接、ＰＤＩＣ１０が取り付けられていれば、ハウジング５に対するＰＤＩＣ１０の取付寸法誤差は、小さくなる。ハウジング５に、直接、ＰＤＩＣ１０が接着されていれば、ハウジング５に対するＰＤＩＣ１０の累積寸法誤差は、小さいものとなる。
【００８４】
ハウジング５に対するＰＤＩＣ１０の取付寸法誤差や累積寸法誤差などの誤差が小さくなることにより、ハウジング５に対し、ＰＤＩＣ１０に大きな位置ずれが生じるということは、回避される。従って、ＰＤＩＣ１０に入る光の焦点に大きな変化が生じることなく、光ピックアップ装置１のアクチュエータ３０を構成するサーボ機構は、安定した動作を行うこととなる。ハウジング５に、直接、ＰＤＩＣ１０が接着されて、ハウジング５に、直接、ＰＤＩＣ１０が取り付けられたことにより、光ピックアップ装置１における正確なサーボ機能が発揮される。
【００８５】
ＰＤＩＣ１０は、レーザ光が当てられる受光部１１と、受光部１１を外部のもの等から守り、且つ、接着剤２０６，２０７が塗布される保護部材１５とを備えるものとして構成されている。保護部材１５は、略透明の合成樹脂材料が用いられて、略矩形箱状に形成されている。
【００８６】
ＰＤＩＣ１０を構成する保護部材１５に、接着剤２０６，２０７（図３，図４）が塗布される一対の側面部１６，１７（図１，図２）が設けられている。略矩形箱状をした保護部材１５の一対の側面部１６，１７に対応して、接着剤２０６，２０７（図３，図４）が塗布される一対の固定部６，７（図１）が、ハウジング５から突出されて形成されている。図３〜図５において、接着剤２０６，２０７は、便宜上、黒く塗りつぶされた状態で示されている。
【００８７】
ＰＤＩＣ１０（図１）を構成する保護部材１５の一側面部１６（図１，図５）と、ハウジング５（図１）から突出形成された一方の固定部６（図１，図５）との間に、ＰＤＩＣ１０（図３〜図５）をハウジング５に固定させる接着剤２０６が盛られて塗布される。また、これと共に、ＰＤＩＣ１０（図１〜図４）を構成する保護部材１５の他側面部１７と、ハウジング５（図１）から突出形成された他方の固定部７との間に、ＰＤＩＣ１０（図３，図４）をハウジング５に固定させる接着剤２０７が盛られて塗布される。これにより、ハウジング５に、直接、ＰＤＩＣ１０が接着される。
【００８８】
このようにすることで、ＰＤＩＣ１０は、ハウジング５に精度よく取り付けられる。ＰＤＩＣ１０を構成する保護部材１５の一側面部１６と、ハウジング５に設けられた一方の固定部６との間に接着剤２０６が盛られて塗布され、また、ＰＤＩＣ１０を構成する保護部材１５の他側面部１７と、ハウジング５に設けられた他方の固定部７との間に接着剤２０７が盛られて塗布され、二ヶ所の接着剤２０６，２０７が固化することにより、ＰＤＩＣ１０は、ハウジング５に精度よく装着される。
【００８９】
従って、ハウジング５にＰＤＩＣ１０が精度よく装着されて構成された光ピックアップ装置１を、光ディスク装置の組立メーカなどに提供することができる。また、光ピックアップ装置１の組立メーカなどにおいて、光ピックアップ装置１が組み立てられるときに、ＰＤＩＣ１０は、ハウジング５に精度よく装着される。
【００９０】
ＰＤＩＣ１０の一対の側面部１６，１７が、ハウジング５に設けられた一対の固定部６，７に合わせられ、合わせられた二ヶ所に接着剤２０６，２０７が塗布されて固化することにより、ＰＤＩＣ１０は、ハウジング５から突出形成された一対の固定部６，７に精度よく固定される。接着剤２０６，２０７として、光が当てられることで硬化する光硬化型接着剤２０６，２０７が用いられた。
【００９１】
図１の如く、ハウジング５に設けられた一対の固定部６，７は、ハウジング５の周壁５Ａから、ハウジング５の外側へ向けて互いに略平行に延設された一対の平板状の接着用突出部６，７として形成されている。接着用突出部６，７の先端面部６ａ，７ａに接着剤２０６，２０７が塗布される。
【００９２】
このような一対の接着用突出部６，７がハウジング５に設けられていれば、ＰＤＩＣ１０は、容易にハウジング５に接着される。
【００９３】
ＰＤＩＣ１０（図３〜図５）を構成する保護部材１５と、ハウジング５の外側に向けて延設された一方の接着用突出部６とが接着剤２０６で接合されるために、ＰＤＩＣ１０を構成する保護部材１５の一側面部１６と、ハウジング５の外側に向けて延設された一方の
接着用突出部６の先端面部６ａ（図１）との間に、両者を繋ぐ接着剤２０６（図３〜図５）が塗布される。詳しく説明すると、ＰＤＩＣ１０を構成する保護部材１５の一側面部１６と、ハウジング５を構成するハウジング本体５Ｈの周壁５Ａからハウジング５の外側に向けて延設された一方の接着用突出部６の先端面部６ａとの間に、接着剤２０６が盛られて塗布される。
【００９４】
また、ＰＤＩＣ１０（図３，図４）を構成する保護部材１５と、ハウジング５の外側に向けて延設された他方の接着用突出部７とが接着剤２０７で接合されるために、ＰＤＩＣ１０を構成する保護部材１５の他側面部１７と、ハウジング５の外側に向けて延設された他方の接着用突出部７の先端面部７ａ（図１）との間に、両者を繋ぐ接着剤２０７（図３，図４）が塗布される。詳しく説明すると、ＰＤＩＣ１０を構成する保護部材１５の他側面部１７と、ハウジング５を構成するハウジング本体５Ｈの周壁５Ａからハウジング５の外側に向けて延設された他方の接着用突出部７の先端面部７ａとの間に、接着剤２０７が盛られて塗布される。
【００９５】
二ヶ所の接着剤２０６，２０７が固化することにより、ＰＤＩＣ１０は、ハウジング５に精度よく容易に装着される。従って、ハウジング５にＰＤＩＣ１０が精度よく容易に装着されて構成された光ピックアップ装置１を、光ディスク装置の組立メーカなどに提供することができる。また、光ピックアップ装置１の組立メーカなどにおいて、光ピックアップ装置１が組み立てられるときに、ＰＤＩＣ１０は、ハウジング５に精度よく容易に装着される。
【００９６】
図１の如く、一対の接着用突出部６，７は、ハウジング本体５Ｈに対し、第一ガイド部５Ｉが延設される方向と同じ方向に沿って延設されている。一対の接着用突出部６，７は、不図示の光ディスクから反射されたレーザ光の一部の光軸延長線上に沿って、ハウジング本体５Ｈに設けられた開口部５Ｄからハウジング本体５Ｈの外側に向けて延設されている。また、一方の接着用突出部６と、他方の接着用突出部７とは、平行に並ばされている。
【００９７】
一対の接着用突出部６，７は、熱可塑性合成樹脂材料が用いられ射出成形法に基づいて、ハウジング本体５Ｈに一体成形されている。一対の接着用突出部６，７と、ハウジング本体５Ｈとは、同一の材料が用いられて一つのものとして形成されている。熱可塑性合成樹脂として、例えば熱安定性性や、絶縁特性などの電気的特性や、機械的特性や、寸法安定性などに優れるポリフェニレンサルファイド等のポリアリーレンサルファイド系樹脂などが挙げられる。ポリフェニレンサルファイド（Poly Phenylene Sulfide）は、「ＰＰＳ」と略称される。ポリフェニレンサルファイド樹脂を基材としたものとして、例えば大日本インキ化学工業製：ＤＩＣ・ＰＰＳ＿ガラス繊維強化耐熱タイプ（架橋型）ＦＺ−１１３０−Ｄ５等が挙げられる。基材にガラス繊維が混合されることで、ハウジング５の機械的特性などが強化される。前記ＰＰＳが用いられてハウジング５が形成された。
【００９８】
ＰＤＩＣ１０（図１〜図４）を構成する保護部材１５の各側面部１６，１７に、接着剤２０６，２０７（図３，図４）が塗布される。また、これに対応して、ハウジング５の各突出部６，７の先端面部６ａ，７ａ（図１）に、接着剤２０６，２０７（図３，図４）が塗布される。
【００９９】
これにより、ＰＤＩＣ１０は、ハウジング５に精度よく接着される。ＰＤＩＣ１０を構成する保護部材１５の各側面部１６，１７に、接着剤２０６，２０７が塗布され、ハウジング５の各突出部６，７の先端面部６ａ，７ａに接着剤２０６，２０７が塗布されるので、ハウジング５の突出部６，７に対するＰＤＩＣ１０の保護部材１５の接着作業は、容易に行われる。ハウジング５に対するＰＤＩＣ１０の接着作業が容易に行われることにより
、接着作業が難しいことに起因した接着不良の発生は、低減化される。接着作業が容易化されることにより、ＰＤＩＣ１０を構成する保護部材１５の各側面部１６，１７と、ハウジング５の各突出部６，７の先端面部６ａ，７ａとは、正確に接着される。
【０１００】
接着剤２０６（図３〜図５）は、ＰＤＩＣ１０を構成する保護部材１５の一側面部１６（図５）と、ハウジング本体５Ｈに設けられた一方の突出部６の先端面部６ａ（図１，図２，図５）との間に、盛り付けられた状態で塗布される（図３，図４）。また、接着剤２０７は、ＰＤＩＣ１０を構成する保護部材１５の他側面部１７と、ハウジング本体５Ｈに設けられた他方の突出部７の先端面部７ａ（図１）との間に、盛り付けられた状態で塗布される（図３，図４）。
【０１０１】
接着剤２０６（図３〜図５）が固化することにより、ＰＤＩＣ１０を構成する保護部材１５の一方の側部１６と、ハウジング５の一方の突出部６とを繋ぐ接合部２０６が形成される。また、接着剤２０７（図３，図４）が固化することにより、ＰＤＩＣ１０を構成する保護部材１５の他方の側部１７と、ハウジング５の他方の突出部７とを繋ぐ接合部２０７が形成される。両接合部２０６，２０７により、ＰＤＩＣ１０は、ハウジング５に確実に固定される。接合部２０６，２０７の大きさは、略米粒大の略半分の大きさとされている。
【０１０２】
各接着剤２０６，２０７が固化して各接合部２０６，２０７が形成されることにより、ＰＤＩＣ１０は、ハウジング５に確実に固定される。
【０１０３】
ＰＤＩＣ１０を構成する保護部材１５の一方の側面部１６と、ハウジング５に設けられた一方の突出部６の先端面部６ａとの間に、接着剤２０６が盛り付けられた状態で塗布されるので、ＰＤＩＣ１０を構成する保護部材１５の一方の側面部１６と、ハウジング５に設けられた一方の突出部６の先端面部６ａとは、盛り付けられた接着剤２０６により架け渡される。
【０１０４】
また、ＰＤＩＣ１０を構成する保護部材１５の他方の側面部１７と、ハウジング５に設けられた他方の突出部７の先端面部７ａとの間に、接着剤２０７が盛り付けられた状態で塗布されるので、ＰＤＩＣ１０を構成する保護部材１５の他方の側面部１７と、ハウジング５に設けられた他方の突出部７の先端面部７ａとは、盛り付けられた接着剤２０７により架け渡される。
【０１０５】
これらの接着剤２０６，２０７が固化することにより、ＰＤＩＣ１０の保護部材１５と、ハウジング５の両突出部６，７とを確実に繋ぐ一対の接合部２０６，２０７が形成される。ＰＤＩＣ１０の保護部材１５の両側面部１６，１７と、ハウジング５の両突出部６，７の先端面部６ａ，７ａとの間に盛り付けられた各接着剤２０６，２０７が固化し、これらの接着剤２０６，２０７が固化して形成された両接合部２０６，２０７により、ＰＤＩＣ１０は、ハウジング５に確実に固定される。
【０１０６】
ハウジング５に設けられた一方の突出部６の先端面部６ａと、ハウジング５に設けられた他方の突出部７の先端面部７ａとは、略平行な面として形成されている。詳しく説明すると、ハウジング５に設けられた一方の突出部６の先端面部６ａと、ハウジング５に設けられた他方の突出部７の先端面部７ａとは、一つの仮想面上において、面一なものとして形成されている。
【０１０７】
ＰＤＩＣ１０（図１〜図４）を構成する保護部材１５は、略矩形箱状のものとして形成されて、一側面部１６と、一側面部１６の反対側とされる他側面部１７とを備えるものとされている。ハウジング５の各固定部６，７は、一対の略板状のものとして形成されてい
る。ハウジング５に設けられた固定部６，７は、一方の突出部６と、一方の突出部６に対して並設された他方の突出部７とを備えるものとして構成されている。
【０１０８】
一方の突出部６の先端面部６ａ（図１，図２）に対応して、保護部材１５の一側面部１６の取付位置が定められる（図３〜図５）。保護部材１５の一側面部１６と、一方の突出部６の先端面部６ａ（図１，図２）とに、接着剤２０６が塗布される（図３〜図５）。この接着剤２０６が固化することにより、保護部材１５（図１，図２）の一側面部１６と、一方の突出部６の先端面部６ａとを繋ぐ一方の接合部２０６（図３〜図５）が形成される。
【０１０９】
また、他方の突出部７の先端面部７ａ（図１）に対応して、保護部材１５の他側面部１７の取付位置が定められる（図３，図４）。保護部材１５の他側面部１７と、他方の突出部７の先端面部７ａ（図１）とに、接着剤２０７が塗布される（図３，図４）。この接着剤２０７が固化することにより、保護部材１５の他側面部１７と、他方の突出部７の先端面部７ａ（図１）とを繋ぐ他方の接合部２０７（図３，図４）が形成される。
【０１１０】
このような接合方法が行われることにより、略矩形箱状の保護部材１５を備えるＰＤＩＣ１０は、一対の突出部６，７を備えるハウジング５に、精度よく位置決めされた状態で接着固定される。略板状に形成された一対の突出部６，７に対し、略矩形箱状に形成された保護部材１５の両側面部１６，１７は、精度よく取付位置が定められた状態で、接着剤２０６，２０７により固定される。
【０１１１】
従って、ハウジング５にＰＤＩＣ１０が精度よく接着固定されて構成された光ピックアップ装置１を、光ディスク装置の組立メーカなどに提供することができる。また、光ピックアップ装置１の組立メーカなどにおいて、光ピックアップ装置１が組み立てられるときに、ＰＤＩＣ１０は、ハウジング５に精度よく接着固定される。
【０１１２】
一方の突出部６の先端面部６ａに対応して、保護部材１５の一側面部１６の取付位置が定められ、且つ、他方の突出部７の先端面部７ａに対応して、保護部材１５の他側面部１７の取付位置が定められるときに、一時的に仮止めテープ（図示せず）が用いられる。仮止めテープとして、例えばポリイミド製粘着テープなどの粘着テープが用いられた。ポリイミド製粘着テープとして、例えば、日東電工社製：ポリイミド粘着テープＮｏ．３６０シリーズや、東レ・デュポン社製カプトン（登録商標）Ｈタイプ等が挙げられる。
【０１１３】
ハウジング５に装備された各光学系部品に対し、ＰＤＩＣ１０の位置合せが行われて、ハウジング５にＰＤＩＣ１０が装着される工程について説明する。まず、ＦＰＣ１００を構成するメイン回路部１０１に対し、メイン回路部１０１と第一サブ回路部１１０とを繋ぐ連成部１１１を、略直角に折り曲げる（図２，図３）。この状態で、不図示のポリイミド製粘着テープを、ハウジング５と、ＰＤＩＣ１０とに貼り付ける。これにより、ＦＰＣ１００の連成部１１１は、略直角に曲げられた状態に維持される。
【０１１４】
次に、ＦＰＣ１００の曲げくせ加工を行うために、ＦＰＣ１００などの各種部品を備える光ピックアップ装置１を、電気炉などの加熱炉（図示せず）に収容する。その後、ＦＰＣ１００などの各種部品を備える光ピックアップ装置１に、アニール処理などの熱処理を行う。アニール（aneal ）とは、材料内部に残留する歪みを取り除くための加熱処理を意味する。光ピックアップ装置１を構成する各種部材に、熱による悪影響が及ぶことを回避するために、熱処理温度は、例えば約８０℃以下で行われる。
【０１１５】
ＦＰＣ１００の連成部１１１が湾曲した状態で、例えば約８０℃、約１２時間の条件下で加熱されることにより、ＦＰＣ１００の連成部１１１にくせ付け工程が行われる。これ
により、ＦＰＣ１００の連成部１１１が元の略平面状態に戻されることなく、略直角に曲げられた緩やかな折曲げ部１１３が、確実にＦＰＣ１００に形成される。
【０１１６】
ＦＰＣ１００の連成部１１１が湾曲した状態で、約８０℃、約１２時間の条件下で加熱されるので、ＦＰＣ１００が元の略平面状態に戻されることのない略直角の折曲げ部１１３が、ＦＰＣ１００の連成部１１１に形成される。また、ＦＰＣ１００の連成部１１１が湾曲した状態で加熱されて、ＦＰＣ１００の連成部１１１に折曲げ部１１３が形成される。このような熱処理が行われることにより、緩やかに略直角に曲げられた折曲げ部１１３が、ＦＰＣ１００の連成部１１１に形成される。ＦＰＣ１００は、ハウジング５の形状に対応して緩やかなカーブを描いた状態で、ハウジング５に装備される。
【０１１７】
図１の如く、ＰＤＩＣ１０は、ＰＤＩＣ１０からの電気信号や、ＰＤＩＣ１０への電気信号が通されるＦＰＣ１００の第一サブ回路部１１０に取り付けられている。半田付けが行われることにより、ＰＤＩＣ１０は、ＦＰＣ１００の第一サブ回路部１１０に通電可能に接続される。ハウジング５に設けられた一対の接着用突出部６，７に対応して、ＦＰＣ１００に、一対の逃し部１１６，１１７が設けられている。ハウジング５に設けられた一方の接着用突出部６に対応して、一方の逃し部１１６がＦＰＣ１００に設けられている。フレキシブル基板１００に設けられた一方の逃し部１１６は、略凹形状に形成されたへこみ部１１６とされている。また、ハウジング５に設けられた他方の接着用突出部７に対応して、他方の逃し部１１７がＦＰＣ１００に設けられている。フレキシブル基板１００に設けられた他方の逃し部１１７は、略矩形状に形成された貫通部１１７とされている。
【０１１８】
接着剤２０６（図３〜図５）は、ハウジング本体５Ｈに設けられた一方の接着用突出部６の先端面部６ａ（図１）からＦＰＣ１００（図３〜図５）のへこみ状逃し部１１６を通りＰＤＩＣ１０の保護部材１５の一側面部１６（図５）まで塗布される。また、接着剤２０７（図３，図４）は、ハウジング本体５Ｈに設けられた他方の接着用突出部７の先端面部７ａ（図１）からＦＰＣ１００（図３，図４）の貫通孔状逃し部１１７を通りＰＤＩＣ１０の保護部材１５の他側面部１７まで塗布される。
【０１１９】
このようにすることで、ＦＰＣ１００に取り付けられたＰＤＩＣ１０がハウジング５に固定されるときに、ＦＰＣ１００に邪魔されることなく、ＰＤＩＣ１０は、接着剤２０６，２０７によってハウジング５に固定される。
【０１２０】
例えば、ハウジング（５）（図１）の一方の接着用突出部（６）に対応したへこみ形状の逃し部（１１６）がＦＰＣ（１００）に設けられていない場合、ＦＰＣ（１００）に阻害されて、ハウジング（５）（図３〜図５）の一方の接着用突出部（６）と、ＰＤＩＣ（１０）を構成する保護部材（１５）の一側面部（１６）との間に、接着剤（２０６）が盛られて塗布され難いことや、ハウジング本体（５Ｈ）に設けられた一方の接着用突出部（６）の先端面部（６ａ）（図１）と、ＰＤＩＣ（１０）（図３〜図５）を構成する保護部材（１５）の一側面部（１６）との間に、接着剤（２０６）を盛って塗布させることができないことが懸念される。
【０１２１】
また、例えば、ハウジング（５）（図１）の他方の接着用突出部（７）に対応した貫通孔形状の逃し部（１１７）がＦＰＣ（１００）に設けられていない場合、ＦＰＣ（１００）に阻害されて、ハウジング（５）（図３，図４）の他方の接着用突出部（７）と、ＰＤＩＣ（１０）を構成する保護部材（１５）の他側面部（１７）との間に、接着剤（２０７）が盛られて塗布され難いことや、ハウジング本体（５Ｈ）に設けられた他方の接着用突出部（７）の先端面部（７ａ）（図１）と、ＰＤＩＣ（１０）（図３，図４）を構成する保護部材（１５）の他側面部（１７）との間に、接着剤（２０７）を盛って塗布させることができないことが懸念される。
【０１２２】
しかしながら、ハウジング５（図１）の一方の接着用突出部６に対応したへこみ形状の一方の逃し部１１６がＦＰＣ１００に設けられていれば、接着剤２０６（図３〜図５）は、ＦＰＣ１００に干渉することなく、ハウジング本体５Ｈに設けられた一方の接着用突出部６の先端面部６ａ（図１）からＦＰＣ１００（図３〜図５）の一方の逃し部１１６を通り抜けＰＤＩＣ１０を構成する保護部材１５の一側面部１６まで、容易で迅速に塗布される。
【０１２３】
また、ハウジング５（図１）の他方の接着用突出部７に対応した貫通孔形状の他方の逃し部１１７がＦＰＣ１００に設けられていれば、接着剤２０７（図３，図４）は、ＦＰＣ１００に干渉することなく、ハウジング本体５Ｈに設けられた他方の接着用突出部７の先端面部７ａ（図１）からＦＰＣ１００（図３，図４）の他方の逃し部１１７を通り抜けＰＤＩＣ１０を構成する保護部材１５の他側面部１７まで、容易で迅速に塗布される。
【０１２４】
従って、ハウジング５にＰＤＩＣ１０を固定させるための接着剤２０６，２０７の塗布工程は、効率よく迅速に行われる。
【０１２５】
ハウジング５にＰＤＩＣ１０が接着されるときに、光が当てられることで硬化する光硬化型接着剤２０６，２０７が用いられて接着作業が行われた。詳しく説明すると、ハウジング５に対し、ＰＤＩＣ１０が接着されて固定されるときに、紫外線が照射されることで硬化する紫外線硬化型接着剤２０６，２０７が用いられて接着が行われ、ハウジング５にＰＤＩＣ１０が固定された。
【０１２６】
紫外線硬化型接着剤２０６，２０７などの光硬化型接着剤２０６，２０７が用いられて接着工程が行われるものとされていれば、ＰＤＩＣ１０は、容易で迅速にハウジング５に固定される。光硬化型接着剤２０６，２０７に光が当てられることで、光硬化型接着剤２０６，２０７の硬化反応が促進され、ハウジング５に対し、ＰＤＩＣ１０は、接着される。詳しく説明すると、紫外線硬化型接着剤２０６，２０７に紫外線が照射されることで、紫外線硬化型接着剤２０６，２０７の硬化反応が促進され、ハウジング５に対し、ＰＤＩＣ１０は、速やかに接着される。また、接着剤２０６，２０７として紫外線硬化型接着剤２０６，２０７などの光硬化型接着剤２０６，２０７が用いられているから、ハウジング５に対し、ＰＤＩＣ１０は、精度よく固定される。
【０１２７】
従って、ハウジング５にＰＤＩＣ１０が精度よく固定されて構成された光ピックアップ装置１を、光ディスク装置などの組立メーカ等に提供することができる。また、光ピックアップ装置１の組立メーカなどにおいて、光ピックアップ装置１が組み立てられるときに、ＰＤＩＣ１０は、ハウジング５に精度よく固定される。
【０１２８】
光硬化型接着剤の一種とされる紫外線硬化型接着剤として、例えば米国ＮＯＲＬＡＮＤ社製：光学ＵＶ接着剤ＮＯＡ６０，ＮＯＡ７７等が挙げられる。光学ＵＶ接着剤ＮＯＡ６０，ＮＯＡ７７等の紫外線硬化型接着剤は、アクリル系のものとされ、一液性の紫外線硬化型接着剤とされているため、二液性の紫外線硬化型接着剤が使用されるときに行われる液と液との混合作業が不要となる。従って、接着剤の塗布工程は、迅速で効率的に行われる。「ＵＶ」とは、「ultraviolet 」を意味し、「ultraviolet radiation 」は、「紫外線」を意味する。紫外線硬化型接着剤は、ＵＶ硬化型接着剤などと呼ばれている。光ピックアップ装置やフレキシブル基板の設計仕様などにより、例えば二液性の紫外線硬化型接着剤が用いられて接着工程が行われたものも使用可能とされる。二液性の紫外線硬化型接着剤として、例えば二液性エポキシ系の紫外線硬化型接着剤などが挙げられる。
【０１２９】
次に、ＰＤＩＣ１０を備えるフレキシブル基板１００が、合成樹脂製のハウジング５に
取り付けられ、光ピックアップ装置１が組み立てられる状態について、図１〜図５を用いて説明する。
【０１３０】
図１，図２の如く、先ず、ハウジング５の上に、フレキシブル基板１００の取付部１０８が合わせられる。次に、フレキシブル基板１００のメイン回路部１０１と、第一サブ回路部１１０とを繋ぐ連成部１１１が折り曲げられる（図３）。フレキシブル基板１００の連成部１１１が折り曲げられた状態で、ハウジング５に設けられた接着用突出部６，７の先端部６ａ，７ａ（図１）と、ＰＤＩＣ１０（図３）の保護部材１５の側部１６，１７とに、紫外線硬化型接着剤２０６，２０７が塗布される。その後、前記接着剤２０６，２０７に紫外線が照射され、接着剤２０６，２０７が硬化することで、ＰＤＩＣ１０がハウジング５に固定される。
【０１３１】
また、図４の如く、ハウジング５の上面に、ハウジング５内の各種のものを保護する被覆板１５０が被せられる。放熱性に優れる金属製の被覆板１５０には、レンズホルダ６５の周辺を囲む合成重合体製の黒色系囲み部材１６０が設けられている。ハウジング５の第一ガイド部５Ｉに、第一ガイド軸（図示せず）が合わせられ、ハウジング５の第二ガイド部５II，５IIに、第二ガイド軸（図示せず）が合わせられる。光ピックアップ装置１のハウジング５は、前記第一ガイド軸および前記第二ガイド軸に支持された状態で移動する。ハウジング５に設けられた各ガイド部５Ｉ，５II，５IIは、ハウジング本体５Ｈと同じ耐熱性合成重合体を基材とするものから形成されているので、摺動性に優れたものとされる。光ピックアップ装置１のハウジング５は、フレキシブル基板１００のメイン回路部１０１の長手方向に略沿って移動する。
【０１３２】
上記光ピックアップ装置１は、例えばＣＤ−ＲＯＭ，ＤＶＤ−ＲＯＭなどに対応したデータ読出し専用の光ディスク装置に装備可能とされる。また、上記光ピックアップ装置１は、例えば、ＣＤ−ＲＯＭ，ＤＶＤ−ＲＯＭなどの読出し専用の光ディスクや、ＣＤ−Ｒ，ＤＶＤ−Ｒ，ＤＶＤ＋Ｒなどの追記型の光ディスクや、ＣＤ−ＲＷ，ＤＶＤ−ＲＷ，ＤＶＤ＋ＲＷ，ＤＶＤ−ＲＡＭ，ＨＤ−ＤＶＤ，Blu-ray Discなどの書込み／消去や書換え可能なタイプの光ディスクに対応した光ディスク装置に装備可能とされる。
【０１３３】
また、上記光ピックアップ装置１を備える不図示の光ディスク装置は、例えば、ノート型パーソナルコンピュータ（図示せず）や、デスクトップ型パーソナルコンピュータ（図示せず）などのパーソナルコンピュータ（Personal Computer ）や、ＣＤプレーヤなどの音響機器や、ＤＶＤプレーヤなどの音響／映像機器（図示せず）などに装備可能なものとされる。パーソナルコンピュータ（Personal Computer ）は、「ＰＣ」と略称とされている。また、上記光ディスク装置は、ＣＤ系光ディスクや、ＤＶＤ系光ディスク等の複数のメディアに対応可能なものとされる。
【０１３４】
不図示の光ディスク装置は、例えばＣＤまたはＤＶＤの何れか一方または両方の光ディスクを使用可能なプレーヤ（図示せず）などとして構成される。ＣＤプレーヤや、ＤＶＤプレーヤや、ＣＤおよびＤＶＤの両方の光ディスクが使用可能なプレーヤは、例えば、ノート型ＰＣや、据え置き型ＰＣなどに組み込まれて使用される。デスクトップ型コンピュータは、卓上型コンピュータとされ、机の上で使用可能なコンピュータとされている。しかしながら、デスクトップ型コンピュータは、容易に持運びができないタイプのものとされている。
【０１３５】
デスクトップ型ＰＣに対し、ノート型ＰＣは、軽量化、軽薄化が要求されることから、スリム型ドライブとされる光ディスク装置（図示せず）を備えた構造のものとされている。ノート型ＰＣは、デスクトップ型ＰＣと異なる構造のものとされている。ノート型ＰＣは、不図示のディスプレイと、不図示のパーソナルコンピュータ本体とが、一体構造のも
のとされている。パーソナルコンピュータ本体に対し、ディスプレイが折りたたまれることで、ノート型ＰＣは、薄型サイズのものとなる。ノート型ＰＣは、このものが折りたたまれて平面視されたときに、略Ａ４判もしくはこれ以下の大きさの汎用ＰＣとされる。このようなことから、ノート型ＰＣは、ブック型ＰＣとも呼ばれている。このように、ノート型ＰＣは、コンパクトなものとされて容易に持運びができるものとされている。
【０１３６】
光ピックアップ装置１（図１〜図４）を構成するハウジング５は、薄型とされるノート型ＰＣ用ディスク装置に装備可能なものとされている。このため、ハウジング５は、略扁平形状をした薄型のものとして形成されている。
【０１３７】
接着により、ハウジング５（図３，図４）にＰＤＩＣ１０が直接取り付けられて光ピックアップ装置１が構成され、この光ピックアップ装置１（図４）が、ノート型ＰＣ用ディスク装置に装備されていれば、ノート型ＰＣ用ディスク装置に装備された光ピックアップ装置１のサーボ動作が安定せず、光ピックアップ装置１が正常に機能しないということは、回避される。
【０１３８】
最近のノート型ＰＣは、高性能化されると共に、小型化、軽量化、軽薄化される傾向にある。ノート型ＰＣの小型化、軽量化、軽薄化に伴って、光ピックアップ装置１も、小型化、軽量化、軽薄化されつつある。また、ノート型ＰＣが高性能化されると、ノート型ＰＣから多くの熱が発生することとなる。デスクトップ型ＰＣに対し、ノート型ＰＣは小さいものとされ、また、ノート型ＰＣが高性能化されることにより、ノート型ＰＣの内部は、デスクトップ型ＰＣの内部よりも高温となり易い。従って、ノート型ＰＣ用ディスク装置に装備された光ピックアップ装置１は、高温に曝され易くなり、熱の影響を受け易くなる。ノート型ＰＣに装備された光ピックアップ装置１１は、約０℃〜７０℃の温度条件下で使用される。
【０１３９】
しかしながら、光ピックアップ装置１を構成するハウジング５に、直接、ＰＤＩＣ１０が接着されて取り付けられ、この光ピックアップ装置１がノート型ＰＣ用ディスク装置に装備されていれば、ノート型ＰＣ内において、光ピックアップ装置１が大きな温度変化条件下で使用されても、ハウジング５に対するＰＤＩＣ１０の取付寸法誤差は小さくなる。従って、ハウジング５に対し、ＰＤＩＣ１０に大きな位置ずれが生じるということは、回避される。これにより、ＰＤＩＣ１０に入る光の焦点に大きな変化が生じるということは回避され、ノート型ＰＣ用ディスク装置に装備された光ピックアップ装置１のサーボ機構は、安定した状態で作動する。
【０１４０】
本発明の光ピックアップ装置は、図示されたものに限定されるものではない。例えば、冷却用ファンなどの冷却装置が設けられたＰＣや音響／映像機器などに、本発明の光ピックアップ装置が装備されてもよい。また、冷却用ファンなどの冷却装置が設けられていないＰＣや音響／映像機器などに、本発明の光ピックアップ装置が装備されてもよい。
【０１４１】
また、例えば、フレキシブル基板１００を構成する第一サブ回路部１１０に、アルミニウム製の支持板や耐熱性合成樹脂製の支持板が備えられたものや、フレキシブル基板１００を構成する第一サブ回路部１１０に、アルミニウム製の支持板や耐熱性合成樹脂製の支持板が備えられていないものに、本発明のものが適用可能とされる。本発明のものは、その要旨を逸脱しない範囲において、種々変更可能なものとされる。
【図面の簡単な説明】
【０１４２】
【図１】本発明に係る光ピックアップ装置の一実施形態を示す分解斜視図である。
【図２】光ピックアップ装置が組み立てられる状態を示す斜視図である。
【図３】接着剤が用いられて光ピックアップ装置が組み立てられる状態を示す斜視図である。
【図４】光ピックアップ装置が組み立てられた状態を示す斜視図である。
【図５】光ピックアップ装置の要部を示す拡大図である。
【図６】従来の光ピックアップ装置の一形態を示す説明図である。
【図７】従来の光ピックアップ装置の要部を示す拡大図である。
【符号の説明】
【０１４３】
１              光ピックアップ装置
５              ハウジング
５Ａ            周壁
５Ｄ            開口部
５Ｈ            ハウジング本体
５Ｉ            第一ガイド部（ガイド部）
５II            第二ガイド部（ガイド部）
６，７          突出部（固定部）
６ａ，７ａ      先端面部（先端部）
１０            ＰＤＩＣ（光検出器）
１１            受光部
１５            保護部材
１６，１７      側面部（側部）
２０            ＬＤ（レーザダイオード）
２５            ＬＤホルダ（レーザホルダ）
２５Ｈ          ホルダ本体（本体）
２８            放熱フィン
３０            アクチュエータ
３２            コイル
３４            磁石
４０            中間レンズ
５０            ＲＭ（リフレクトミラー）
５５            ＨＭ（ハーフミラー）
６０            ＯＢＬ（対物レンズ）
６５            レンズホルダ
９１，９２      コンデンサ
１００          ＦＰＣ（フレキシブル基板）
１０１          メイン回路部
１０５          コネクタ部
１０８          取付部
１１０          第一サブ回路部（サブ回路部）
１１１          連成部
１１３          折曲げ部
１１６          へこみ部（逃し部）
１１７          貫通部（逃し部）
１２０          第二サブ回路部（サブ回路部）
１３０          第三サブ回路部（サブ回路部）
１５０          被覆板
１６０          囲み部材
２０６，２０７  接着剤（接合部）
【図１】
2005332552.tif 000003
【図２】
2005332552.tif 000004
【図３】
2005332552.tif 000005
【図４】
2005332552.tif 000006
【図５】
2005332552.tif 000007
【図６】
2005332552.tif 000008
【図７】
2005332552.tif 000009